(57)【特許請求の範囲】
【請求項１】
室内機本体に設けられる吸込み口と吹出し口とを連通する通風路中に、熱交換器と送風機が配置されるとともに、上記吸込み口が設けられる室内機本体内における上記熱交換器の通風路上流側に、吸込み口から吸込まれる室内空気を濾過するエアフィルタと、このエアフィルタに付着した塵埃を除去し清掃するエアフィルタ清掃装置と、を備えた空気調和機の室内機において、
上記エアフィルタ清掃装置は、
上記エアフィルタの清掃時に、吸込み口が設けられる室内機本体内における熱交換器の通風路上流側で、エアフィルタを下端部からＵターンさせ、上方へ向けて移動付勢するエアフィルタ送り手段と、
このエアフィルタ送り手段により移動するエアフィルタに対し、エアフィルタに付着する塵埃を除去する塵埃除去手段と、を備え、
上記室内機本体は、
空気濾過中のエアフィルタの位置を保持する第１のガイド路と、
この第１のガイド路と交差して設けられ、エアフィルタ清掃装置のエアフィルタ送り手段により移動中のエアフィルタの位置を保持する第２のガイド路と、
これら第１のガイド路と第２のガイド路との交差点近傍に設けられ、第２のガイド路に沿って移動中のエアフィルタが第１のガイド路に侵入するのを防止する可動ガイドと、
上記エアフィルタ清掃装置のエアフィルタ送り手段により導かれるエアフィルタの一部を、室内機本体の上面部から上方へ突出するよう案内するエアフィルタ案内口を備えた
ことを特徴とする空気調和機の室内機。
【請求項２】
上記可動ガイドは、
１つの回動支点を備え、第２のガイド路に沿って移動するエアフィルタの先端部が当接することで上記回動支点を中心に回動変位する
ことを特徴とする請求項１記載の空気調和機の室内機。
【請求項３】
上記可動ガイドは、
空気濾過中での重心位置が上記回動支点よりも上方にあり、回動支点と重心とを結ぶ線分と鉛直線とのなす角度θ１は、以下の（１）式が成り立つ関係を有することを特徴とする請求項２記載の空気調和機の室内機。
θ１  ＞  θ２  ＋  θ３    ……  （１）
θ１：  回動支点と重心を通る線分と鉛直線とのなす角度
θ２：  可動ガイドの可動角度
θ３：  据付け壁面に対する空気調和機本体の前後の傾き角度
【請求項４】
上記可動ガイドは平板状をなし、エアフィルタ１枚当り２個以上配置される
ことを特徴とする請求項１ないし請求項３のいずれかに記載の空気調和機の室内機。
【発明の詳細な説明】
【技術分野】
【０００１】
本発明は、エアフィルタを自動で清掃する機能を備えた空気調和機の室内機に関する。
【背景技術】
【０００２】
空気調和機の室内機は、室内機本体内に収容される熱交換器の通風路上流側にエアフィルタを備え、本体内に吸込まれた室内空気を濾過して、清浄空気のみを熱交換器に導く。塵埃はエアフィルタに残り、長期の使用に亘ればエアフィルタに付着した塵埃が堆積して、目詰まりが進行する。
【０００３】
そのままの状態で放置すると、付着した塵埃により熱交換器に導入される風量が減少して、熱交換効率が低下する。ユーザーは、適宜期間の間隔でエアフィルタを取外し、エアフィルタから塵埃を除去する必要がある。しかしながら、この作業は手間がかかり面倒であるので、エアフィルタは放置され易い。
【０００４】
たとえば［特許文献１］には、ケーシングと熱交換器との間の空間部にフィルタを移動する移動経路が形成され、この移動経路の途中にフィルタを清掃する清掃手段が設けられる空気調節装置が開示されている。上記移動経路にはＵ字状の折り返し部が設けられ、エアフィルタを室内機本体内に配置したままで、付着する塵埃を自動的に除去する。
【０００５】
また、［特許文献２］には、上部パネル前端と、下部パネル前端との間に、フィルタが本体前面に挿脱自在となるようにスリット状の挿脱口を備えた空気調和機が開示されている。フィルタを挿脱口から突出させるとともに、挿脱口の内側に設けたブラシで塵埃を捕獲し、ダストボックス内に捕集するようになっている。
【先行技術文献】
【特許文献】
【０００６】
【特許文献１】特許第４１９９７６０号公報
【特許文献２】特開２００５−１８８８０８号公報
【発明の概要】
【発明が解決しようとする課題】
【０００７】
［特許文献１］において、清掃手段によって塵埃が除去されたフィルタは、移動経路を導かれ、熱交換器の前面通風路上流側に近接した位置で停止する。冷房運転が終了した直後の熱交換器は結露が著しく、この近傍範囲は高湿度の雰囲気となっていて、フィルタは高湿度の影響を受けて濡れた状態となり易い。
【０００８】
再びフィルタをＵターンして元の位置に戻し、その直後に空調運転を再開すると、フィルタの吸込み側の面が湿っていて、濾過され付着した塵埃が吸湿して体積が膨張する。そこに後から濾過され付着した塵埃も体積が膨張して、フィルタは早急に目詰まりする。フィルタが乾燥すれば、塵埃はフィルタに固着して容易に除去できなくなる。
【０００９】
［特許文献２］において、塵埃が除去されたフィルタは、順次、本体の前面に設けられた挿脱口から突出する。室内にいるユーザーからは、本体前面から突出してくるフィルタが見える。フィルタは塵埃を濾過するものであるのは周知の事実であるから、最も見える状態にフィルタが突出すると、違和感を覚えるユーザーも少なくない。
【００１０】
本発明は上記事情にもとづきなされたものであり、その目的とするところは、ユーザーに違和感を与えることなく、エアフィルタに付着する塵埃を自動的に除去するとともに、エアフィルタの乾燥化を図って塵埃のこびり付きを防止し、エアフィルタ清掃の完全実行化を得られる空気調和機の室内機を提供しようとするものである。
【課題を解決するための手段】
【００１１】
上記目的を満足するため本発明の空気調和機の室内機は、室内機本体に設けた吸込み口と吹出し口とを連通する通風路中に熱交換器と送風機を配置し、吸込み口が設けられる室内機本体内における熱交換器の通風路上流側に吸込み口から吸込まれる室内空気を濾過するエアフィルタと、このエアフィルタに付着した塵埃を除去し清掃するエアフィルタ清掃装置とを備え、上記エアフィルタ清掃装置は、エアフィルタの清掃時に空気の吸込み口が設けられる室内機本体内における熱交換器の通風路上流側でエアフィルタを下端部からＵターンさせ上方へ向けて移動付勢するエアフィルタ送り手段と、このエアフィルタ送り手段により移動するエアフィルタに対しエアフィルタに付着する塵埃を除去する塵埃除去手段とを備え、上記室内機本体は、空気濾過中のエアフィルタの位置を保持する第１のガイド路と、この第１のガイド路と交差して設けられエアフィルタ清掃装置のエアフィルタ送り手段により移動中のエアフィルタの位置を保持する第２のガイド路と、これら第１のガイド路と第２のガイド路との交差点近傍に設けられ第２のガイド路に沿って移動中のエアフィルタが第１のガイド路に侵入するのを防止する可動ガイドと、エアフィルタ清掃装置のエアフィルタ送り手段により導かれるエアフィルタの一部を室内機本体の上面部から上方へ突出するよう案内するエアフィルタ案内口を備えた。
【発明の効果】
【００１２】
本発明によれば、ユーザーに違和感を与えることなく、エアフィルタに付着する塵埃を自動的に除去するとともに、エアフィルタの乾燥化を図って塵埃のこびり付きを防止し、エアフィルタ清掃の完全実行化を得られる等の効果を奏する。
【図面の簡単な説明】
【００１３】
【図１】本発明における実施の形態に係る、空気調和機の室内機外観を示す斜視図。
【図２】同実施の形態に係る、室内機上面部の平面図。
【図３】同実施の形態に係る、前面パネルを取外した室内機の斜視図。
【図４】同実施の形態に係る、前面パネルを取外した室内機の縦断面図。
【図５】同実施の形態に係る、可動ガイドとその周辺部を拡大した図と、室内機本体の壁面に対する据付け状態を示す図。
【図６】同実施の形態に係る、通常（濾過）状態のエアフィルタ清掃装置一部の縦断面図。
【図７】同実施の形態に係る、エアフィルタ清掃装置における、エアフィルタ清掃時の一部縦断面図。
【図８】同実施の形態に係る、図７の位置よりもさらにエアフィルタが移動した状態での、エアフィルタ清掃装置の一部縦断面図。
【図９】同実施の形態に係る、図８の位置よりもさらにエアフィルタが移動した状態での、エアフィルタ清掃装置の一部縦断面図。
【発明を実施するための形態】
【００１４】
以下、本発明の実施の形態を、図面にもとづいて説明する。  
図１は、空気調和機の室内機の外観を示す概略の斜視図である。（なお、説明中に符号を付していない部品は図示していない。図示しても符号を付していない部品もある。以下同じ）
室内機本体１は、前面、上面および左右両側面筐体を構成する前面パネル２と、ここでは図示しない後本体３とからなる。室内機本体１の正面視は、上下方向寸法に対して左右幅方向寸法が極めて大であり、全体的に横長状に形成される。
【００１５】
前面パネル２の上面部に吸込み口５が設けられていて、この吸込み口５を備えた上面部と、板体からなる前面部は一体化されるとともに、上面部後端を枢支部とした開閉パネル２Ａとなっている。メンテナンス時など、必要に応じて開閉パネル２Ａを開放して室内機本体１内部を露出できる。
【００１６】
前面パネル２の下面部に、後述する吹出しルーバー１１ａ，１１ｂが並んで設けられ、さらにこれら吹出しルーバー１１ａ，１１ｂの側部には、リモコン（リモートコントロール）から発信される信号を受けて表示する表示部Ｈが設けられる。
【００１７】
図２は、室内機本体１の上面部の平面図である。  
室内機本体１である前面パネル２の上面部には、吸込み口５と、エアフィルタ案内口６が並んだ状態で開口されている。吸込み口５は奥側にあり、エアフィルタ案内口６は手前側にあり、これらで前面パネル２上面部のほとんど大部分を占める。
【００１８】
エアフィルタ案内口６の左右幅方向寸法は、吸込み口５の左右幅方向寸法と略同一の寸法に形成されているが、前後方向寸法は極く僅かであり、吸込み口５の前後方向寸法は大に形成される。吸込み口５には複数の空間部に仕切る枠状の桟が嵌め込まれ、エアフィルタ案内口６には桟がなく、互いに常時、開放状態にある。
【００１９】
空調運転が終了した後、エアフィルタ清掃運転が選択されると、後述するようにエアフィルタＦに付着していた塵埃が除去され、清掃された状態でエアフィルタ案内口６を挿通し、図１に二点鎖線で示すように、エアフィルタＦの略半分は室内機本体１の上面部から上方へ突出して、エアフィルタＦの乾燥化をなす。
【００２０】
図３は、前面パネル２を取外した状態の室内機の斜視図であり、図４は、同様に前面パネル２を取外した状態の室内機の縦断面図である。  
図４に二点鎖線で示す前面パネル２を取外すことにより、後本体３の一部が見える。この後本体３には、エアフィルタＦを支持するエアフィルタ支持枠Ｗと、熱交換器７と、室内送風機８が支持されるとともに、吹出し口９が設けられる。
【００２１】
上記室内送風機８を作動することで、室内機本体１内には前面パネル２の吸込み口５と、後本体３の吹出し口９とを連通する通風路１０が形成される。そして、この通風路１０において、上記エアフィルタ支持枠Ｗと、熱交換器７と、室内送風機８が順次配置されることになる。
【００２２】
上記吹出し口９は、前面パネル２の下端部に沿って形成され、上記した２枚の吹出しルーバー１１ａ，１１ｂが設けられる。これら吹出しルーバー１１ａ，１１ｂは、回動姿勢によって吹出し口９を開閉し、かつ運転条件に応じて熱交換空気の吹出し方向を設定する上下ルーバーである。
【００２３】
上記熱交換器７は、前側熱交換器部７Ａと後側熱交換器部７Ｂとで略逆Ｖ字状に形成される。前側熱交換器部７Ａは、後述するエアフィルタＦを介して前面パネル２の前面部と吸込み口５を備えた上面部と対向するよう湾曲状に形成される。後側熱交換器部７Ｂは、直状で斜めに傾斜し、エアフィルタＦを介して吸込み口５一部と対向している。
【００２４】
上記熱交換器７は、図示しない室外機に収容される圧縮機や室外熱交換器などと冷媒管を介して連通されていて、これらで冷凍サイクルが構成される。熱交換器７の前後側熱交換器部７Ａ，７Ｂ相互間に、上記室内送風機８が配置される。
【００２５】
室内送風機８は、室内機本体１の一側端のスペースに配置されたファンモータと、このファンモータの回転軸に連結される横流ファンとから構成される。横流ファンの軸方向長さは上記熱交換器７の幅方向長さと略同一に設定され、互いに正しく対向するように配置される。
【００２６】
前側熱交換器部７Ａの下端部は前ドレンパン１２ａ上に載り、後側熱交換器部７Ｂの下端部は後ドレンパン１２ｂ上に載る。前、後ドレンパン１２ａ，１２ｂは、それぞれ室内機本体１を構成する後本体３に一体に成形され、各熱交換器部７Ａ，７Ｂから滴下するドレン水を受けて、図示しない排水ホースを介し屋外へ排水できるようになっている。
【００２７】
前後ドレンパン１２ａ，１２ｂの一部側壁外面は室内送風機８に近接して設けられ、これらで室内送風機８の横流ファンに対するノーズを構成している。ノーズとなる前後ドレンパン１２ａ，１２ｂの側壁部分と吹出し口９の各辺部との間は、隔壁部材１３によって連結される。
【００２８】
上記室内送風機８を駆動することにより、隔壁部材１３で囲まれる空間が、ノーズと吹出し口９とを連通する、通風路１０における吹出し側となる。これに対して、吸込み口５から熱交換器７に至る間が、通風路１０における吸込み側になる。
【００２９】
上記エアフィルタ支持枠６Ａは、前面パネル２と熱交換器７との間に取付けられ、このエアフィルタ支持枠６Ａの下端部に沿って、エアフィルタ清掃装置Ｓを備えた清掃装置支持枠６Ｂが一体に設けられる。
【００３０】
上記エアフィルタ支持枠６Ａは、前面パネル２の前面部と対向するとともに、前側熱交換器部７Ａ通風路上流側と間隙を存して曲成される。さらに、前面パネル２の上面部に設けられる吸込み口５と対向し、後側熱交換器部７Ｂ上面と間隙を存して曲成される。このエアフィルタ支持枠６Ａに支持されるエアフィルタＦも同様の姿勢形状をなす。
【００３１】
清掃装置支持枠６Ｂに備えられるエアフィルタ清掃装置Ｓは、エアフィルタ支持枠６Ａと吹出し口９に設けられる上部側吹出しルーバー１１ａとの間に沿って介設される。前面パネル２が取付けられた状態で、清掃装置支持枠６Ｂおよびエアフィルタ清掃装置Ｓともに前面パネル２によって遮蔽され外部から見えない。
【００３２】
上記エアフィルタ支持枠６Ａは、複数の縦桟と横桟が所定間隔を存して平行に組立てられる前面枠体１４ａおよび後面枠体１４ｂを前後に組合せ、これら前面枠体１４ａと後面枠体１４ｂの縦桟相互間に、仕切りガイド桟１４ｃが設けられてなる。エアフィルタ支持枠６Ａの中央部の縦桟を境に、左右両側に２枚の上記エアフィルタＦが支持される。
【００３３】
エアフィルタ支持枠６Ａは、下端部がエアフィルタ清掃装置Ｓの前面側上端と後面側上端に載った状態で上方へ向って緩く湾曲成される。そして、上面の吸込み口５と熱交換器７上端との間の空間スペースに沿って延出され、先端部は後本体３の背面側板部に当接する。
【００３４】
このように、前面枠体１４ａと後面枠体１４ｂとは、互いの下端部において最も広い空間スペースが確保され、上方に延出されるにしたがって徐々に狭まる。前面パネル２の上面部に最も接近した位置から後本体３の背面側板部に当接する位置まで、最も狭まった均一の空間スペースに形成される。
【００３５】
前面枠体１４ａのみ、室内機本体１上面部に設けられる上記エアフィルタ案内口６と対向する位置に開口部ａが設けられていて、この開口部ａはエアフィルタ案内口６と略同一の形状寸法に開口される。
【００３６】
後面枠体１４ｂのみ、前面枠体１４ａの開口部ａと対向する部位が欠落し、ここに可動ガイドＫが設けられる。可動ガイドＫは、エアフィルタ支持枠６Ａの左右両側部の縦桟と、中央部の縦桟とに亘って設けられる支軸Ｐに回動自在に支持される。
【００３７】
上述したように、エアフィルタ支持枠６Ａに２枚のエアフィルタＦが支持されるところから、１枚のエアフィルタＦに対して１本の支軸Ｐが設けられるとともに、この支軸Ｐに複数（２個以上）の可動ガイドＫが設けられる。
【００３８】
後述するようにエアフィルタＦの移動にともない、エアフィルタＦが接触することで可動ガイドＫは支軸Ｐを回動支点として回動し、エアフィルタＦをガイドするようになっている。したがって、支軸を可動ガイドＫにおける回動支点Ｐと呼ぶ。１枚のエアフィルタＦに対して複数の可動ガイドＫを備えることで、エアフィルタＦを確実にガイドできる。
【００３９】
上記仕切りガイド桟１４ｃは、この下端部がエアフィルタ清掃装置Ｓに載り、上方へ向って湾曲成した略三角状に形成される。仕切りガイド桟１４ｃと前面枠体１４ａとの間隔寸法と、仕切りガイド桟１４ｃと後面枠体１４ｂとの間隔寸法は、下端部から上方へ向って互いに略同一に形成される。
【００４０】
仕切りガイド桟１４ｃの上端部は、上記可動ガイドＫの近傍部位まで延出していて、ここから前後面枠体１４ａ，１４ｂの先端部までは仕切りガイド桟１４ｃは介在せず、前面枠体１４ａと後面枠体１４ｂのみで空間スペースが確保されている。
【００４１】
エアフィルタ支持枠６Ａにおける、エアフィルタ清掃装置Ｓとの連結部から開口部ａまでの前面枠体１４ａと仕切りガイド桟１４ｃとの空間スペースと、開口部ａから後本体３の背面側板部と当接する先端部までの前面枠体１４ａと後面枠体１４ｂとの空間スペースとで、第１のガイド路Ｒ１が形成される。
【００４２】
通常の状態である空調運転時および運転停止時には、エアフィルタＦは第１のガイド路Ｒ１に収容されているが、エアフィルタ清掃装置Ｓが作用することで、エアフィルタＦは第１のガイド路Ｒ１から抜け出る方向に移動付勢されるようになっている。
【００４３】
エアフィルタ清掃装置Ｓとの連結部から可動ガイドＫまでの後面枠体１４ｂと仕切りガイド桟１４ｃとの空間スペースと、可動ガイドＫから上記第１のガイド路Ｒ１と交差し、上記開口部ａおよび室内機本体１に設けられるエアフィルタ案内口６を介して室内機本体１上面部の上方部位に至る経路として、第２のガイド路Ｒ２が形成される。
【００４４】
エアフィルタ清掃装置Ｓが作用することで、第１のガイド路Ｒ１に収容されるエアフィルタＦは、エアフィルタ清掃装置Ｓを通過し、さらに第２のガイド路Ｒ２に沿って移動付勢されるようになっている。
【００４５】
上記エアフィルタＦは、矩形状の周辺枠に複数本の縦桟部と横桟部が所定間隔を存して掛け渡され、これら周辺枠と縦桟部および横桟部との間には、極薄のシート部が一体に設けられる。シート部には、空気の流通を許容し、空気に含まれる塵埃は捕捉する直径のフィルタ孔が縦横整然と並んで設けられ、実質的なフィルタ部となっている。
【００４６】
エアフィルタＦを構成する縦桟部の裏面側には、この全長に亘って歯部が連続して設けられ、タイミングベルト状をなす。縦桟部はエアフィルタＦの下端部から上端部に亘って設けられるところから、エアフィルタＦは上下方向に沿って移動自在に支持されることになる。
【００４７】
エアフィルタ清掃装置Ｓは、第１の回転軸１６ａに、所定間隔を存して設けられる複数個の送りギヤ（エアフィルタ送り手段）１５と、これら送りギヤ１５間に設けられる塵埃押上げブラシ１６とを備えている。送りギヤ１５は、エアフィルタＦの縦桟部に設けられる歯部に噛合し、この回転方向に沿ってエアフィルタＦを移動付勢できる。
【００４８】
塵埃押上げブラシ１６は、円筒体の周面にブラシ毛が植毛されていて、各ブラシ毛は第１の回転軸１６ａに対して略直立し、その直径はエアフィルタＦのフィルタ孔直径よりも細いものが選択されている。
【００４９】
送りギヤ１５と塵埃押上げブラシ１６の第１の回転軸１６ａと平行に、塵埃除去用ブレード（塵埃除去手段）１８を備えた第２の回転軸１８ａが設けられる。塵埃除去用ブレード１８は第２の回転軸１８ａの周方向に間隔を存し、かつ軸方向に沿って螺旋状に曲成される複数条の薄肉弾性部材（たとえばゴム材）であるブレード片からなる。  
この第２の回転軸１８ａの回転にともなって、上記塵埃除去用ブレード１８の先端は、塵埃押上げブラシ１６の先端に摺接するよう構成される。
【００５０】
図３のみ示すように、清掃装置支持枠６Ｂの一方の側面に、４個の駆動モータＭと、２個の駆動モータＭａが取付けられる。  
上部２個の駆動モータＭが、図示しないギヤ組立を介して送りギヤ１５と塵埃押上げブラシ１６の第１の回転軸１６ａに連結され、中間部２個の駆動モータＭが、図示しないギヤ組立を介して塵埃除去用ブレード１８の第２の回転軸１８ａに着脱自在に連結される。
【００５１】
すなわち、清掃装置支持枠６Ｂの右側部には熱交換器７に接続される冷媒管が突出しているので、側面部にはスペース的に大型の駆動モータを取付ける余裕が無い。小型の駆動モータしか取付けられないうえに、１個の小型駆動モータでは充分なトルクが得られない。したがって、各々２個の駆動モータＭを用いてトルクを確保している。  
なお、下部２個の駆動モータＭａは、上記吹出し口９に設けられる吹出しルーバー１１ａ，１１ｂをそれぞれ駆動するためのものである。
【００５２】
エアフィルタ清掃装置Ｓは、塵埃除去用ブレード１８を収容するダストボックス２０を備えている。このダストボックス２０は、清掃装置支持枠６Ｂから取外しと取付けができる。ダストボックス２０を取外しても、送りギヤ１５と塵埃押上げブラシ１６の第１の回転軸１６ａと塵埃除去用ブレード１８は、そのままの位置に残る。
【００５３】
ダストボックス２０は、塵埃除去用ブレード１８の直下部に比較的大なる空間スペースを備えていて、ここに塵埃除去用ブレード１８が除去した塵埃を収容できる。そして、ダストボックス２０の一部は開閉自在に構成されていて、収容した塵埃を排出することができるようになっている。
【００５４】
つぎに、可動ガイドＫについて詳述する。  
図５（Ａ）は、可動ガイドＫとその周辺部を拡大した図であり、エアフィルタＦは第１のガイド路Ｒ１に収容される、通常の状態を示している。  
上記可動ガイドＫは、支軸である回動支点Ｐから後端部（図の左側部）が、後面枠体１４ｂと仕切りガイド桟１４ｃ上端部との間に形成される上記第２のガイド路Ｒ２を遮断するよう突出する。回動支点Ｐから前端部（図の右側部）においては、後面枠体１４ｂに設けられる切欠部ｂから突出し、かつ後面枠体１４ｂに乗っている。
【００５５】
このことにより、可動ガイドＫの重心Ｇ位置は、回動支点Ｐとはずれた位置にあり、実際には回動支点Ｐの斜め上方（右側部）に設定される。第２のガイド路Ｒ２に沿ってエアフィルタＦが上昇移動して、第２のガイド路Ｒ２を遮断している可動ガイドＫの後端部に衝突すれば、可動ガイドＫは構造上、反時計回り方向に回動変位する。
【００５６】
すなわち、可動ガイドＫの上端部が図に二点鎖線で示すように起き上がり、代って可動ガイドＫの後端部が後面枠体１４ｂに設けられる孔部であるストッパ部ｃに嵌り込む。可動ガイドＫは第１のガイド路Ｒ１を遮断する一方で、第２のガイド路Ｒ２を開放し、このガイド路Ｒ２に沿ってエアフィルタＦを案内するようになっている。
【００５７】
ここで、可動ガイドＫにおける回動支点Ｐと重心Ｇとを結ぶ線分Ｌａと鉛直線Ｌｂとのなす角度を、「θ１」とし、可動ガイドＫが第１のガイド路Ｒ１を開放して第２のガイド路Ｒ２を遮断する図の位置から、第１のガイド路Ｒ１を遮断して第２のガイド路Ｒ２を開放する図の二点鎖線位置までの可動角度を、「θ２」とする。
【００５８】
図５（Ｂ）は、室内の壁面Ｈ高所に取付けられる室内機Ａを示している。実際には、壁面Ｈに付属の据付け板が取付けられ、この据付け板に室内機Ａが取付けられる。壁面Ｈと室内機Ａ背面とは互いに平行となるよう施工されるが、それでも室内機Ａはある程度の傾きが生じ易い。実際の壁面Ｈに対する室内機Ａの傾き角度を、「θ３」とする。  
そこで、以下の（１）式が成り立つよう構成される。  
θ１  ＞  θ２  ＋  θ３    ……  （１）
つぎに、上述のようにして構成される空気調和機の室内機の作用について説明する。  
冷房運転もしくは暖房運転等の空調運転開始の信号が制御部に入ると、室外機に配置される圧縮機に駆動信号が送られて冷凍サイクル運転が開始され、同時に、室内送風機８に駆動信号が送られる。
【００５９】
室内空気は吸込み口５から室内機本体１内に吸込まれ、吸込み側の通風路１０に沿って導かれる。はじめにエアフィルタＦを流通し、室内空気に含まれる塵埃は捕捉される。濾過され清浄化した室内空気は、熱交換器７を構成する前側熱交換器部７Ａと後側熱交換器部７Ｂに導かれる。
【００６０】
熱交換器７と室内空気は熱交換をなし、冷房運転モードが選択されていれば、室内空気は冷気となり、暖房運転モードが選択されていれば暖気に変る。熱交換空気は吹出し側の通風路１０に沿って導かれ、吹出し口９から吹出しルーバー１１ａ，１１ｂに案内されて室内へ吹出される。
【００６１】
冷気が室内に吹出されることにより室内温度が低下し、冷房作用をなす。暖気が室内に吹出されることにより室内温度が上昇し、暖房作用をなす。いずれにしても、室内機本体１内に吸込まれた室内空気はエアフィルタＦを流通する際に、室内空気に含まれる塵埃が捕捉され、常に清浄化した熱交換空気が室内に吹出されて、室内の清浄化をなす。
【００６２】
長期の使用に亘れば、エアフィルタＦに捕捉された塵埃が積もり、目詰りが生じる。そのまま放置すれば熱交換効率が低下して、冷房能力と暖房能力に影響が生じる。そこで、ユーザーは空調運転に先立ち、もしくは空調運転の終了後に、リモコン（遠隔操作盤）に設けられる、「エアフィルタお掃除ボタン」を押す。  
この信号が制御部に入ると、エアフィルタ清掃装置Ｓの駆動モータＭに駆動信号が送られて、送りギヤ１５と塵埃押上げブラシ１６が一体に回転駆動されるとともに、塵埃除去用ブレード１８も回転駆動される。
【００６３】
図４に示す送りギヤ１５は反時計回り方向に回転駆動され、この送りギヤ１５に噛合する歯部を有するエアフィルタＦは同方向に移動付勢される。エアフィルタＦは下端部から塵埃押上げブラシ１６に接し、このブラシ毛がエアフィルタＦのフィルタ孔に挿入する。
【００６４】
エアフィルタＦのフィルタ孔に詰まっていた塵埃は、塵埃押上げブラシ１６のブラシ毛によってフィルタ孔から押上げられる。すなわち、塵埃押上げブラシ１６はエアフィルタＦの熱交換空気導出側である２次側に配置されていて、ブラシ毛によって塵埃は熱交換空気導入側である１次側へ押し出される。
【００６５】
さらなる送りギヤ１５の回転にともなって、エアフィルタＦは塵埃押上げブラシ１６と塵埃除去用ブレード１８との摺接部に導かれ、通過する。このときエアフィルタＦに付着し塵埃押上げブラシ１６によって１次側に押上げられた塵埃は、１次側に配置され時計回り方向に回転駆動される塵埃除去用ブレード１８によって効率よく掻き落される。
【００６６】
塵埃押上げブラシ１６は円柱状ブラシであり、ブラシ毛は第１の回転軸１６ａに対して略直立しているので、エアフィルタＦの１次側の面に塵埃を確実に浮き上がらせる。塵埃除去用ブレード１８は回転体であり、比較的簡素な構造で反時計回り方向に回転することで、１次側に浮いた塵埃をエアフィルタＦから確実に、かつ連続して除去する。
【００６７】
塵埃除去用ブレード１８によって掻き落された塵埃はダストボックス２０内に溜まる。エアフィルタＦに対する清掃作業を複数回行えば、ダストボックス２０内に塵埃が満杯状態となる。このときセンサーが検知して制御部に信号を送る。制御部はユーザーに対してダストボックス２０内の塵埃排出を督促する必要な報知をなす。
【００６８】
空調運転時および運転停止時は、図６に示すように、エアフィルタＦは第１のガイド路Ｒ１に収容されている。このとき可動ガイドＫは後端部が第２のガイド路Ｒ２を遮断し、かつ後面枠体１４ｂに設けられる切欠部ｂに前端部が挿入するように重心Ｇ位置が設定されている。
【００６９】
エアフィルタ清掃運転が選択されて、エアフィルタＦは下端部からＵターンし、上述したようにエアフィルタＦから塵埃が掻き落される。図７に示すように、エアフィルタＦはそれまでの下端部を先端にして第２のガイド路Ｒ２を上昇移動する。可動ガイドＫは一端部が切欠部ｂに挿入し、他端部が第２のガイド路Ｒ２を遮断していることは変りがない。
【００７０】
図８に示すように、第２のガイド路Ｒ２を移動してきたエアフィルタＦは可動ガイドＫに当接し、可動ガイドＫは回動支点Ｐを中心にして反時計回り方向に回動する。その結果、第１のガイド路Ｒ１が遮断される一方で第２のガイド路Ｒ２が開放され、エアフィルタＦは第１のガイド路Ｒ１と交差する交差点を通過して開口部ａ方向に導かれる。
【００７１】
可動ガイドＫを第１のガイド路Ｒ１と第２のガイド路Ｒ２との交差点近傍部位に設けたので、第２のガイド路Ｒ２に沿って移動中のエアフィルタＦが第１のガイド路Ｒ１に侵入したり、あるいはエアフィルタＦが第１のガイド路Ｒ１に引っ掛るのを防止できる。
【００７２】
そして、可動ガイドＫは、１つの回動支点Ｐを備え、第２のガイド路Ｒ２に沿って移動することで回動支点Ｐを中心に回動変位するので、可動ガイドＫはシンプルな構造で安価にしてガイド機能を実現できる。
【００７３】
先に説明したように、可動ガイドＫは、空気濾過中での重心Ｇの位置が回動支点Ｐよりも上方にあり、回動支点Ｐと重心Ｇとを結ぶ線分Ｌａと鉛直線Ｌｂとのなす角度θ１は、可動ガイドＫの可動角度をθ２、据付け壁面Ｈに対する室内機本体１の前後の傾き角度をθ３としたとき、（１）式である  θ１＞θ２＋θ３  の関係を得るように構成した。
【００７４】
したがって、可動ガイドＫにエアフィルタＦが接触することで、可動ガイドＫを容易、かつ確実に回動せしめ、そのまま第２のガイド路Ｒ２に沿って導くことができる。特に、可動ガイドＫを回動駆動する駆動源を必要とせず、簡素な構成で廉価に、動作の信頼性を得られる。
【００７５】
このとき、エアフィルタＦの後端部（空気濾過状態での上端部）は、第１のガイド路Ｒ１と第２のガイド路Ｒ２との交差点を通過してエアフィルタ清掃装置Ｓもしくはその近傍位置にいるので、エアフィルタＦの移動については何らの支障もない。
【００７６】
図９に示すように、エアフィルタＦは可動ガイドＫに案内されて前面枠体１４ａに設けられる開口部ａを挿通し、図示しない室内機本体１のエアフィルタ案内口６を介して上面部に突出する。エアフィルタＦのそれまでの後端部が、塵埃押上げブラシ１６と塵埃除去用ブレード１８との摺接部を完全通過するまで、この状態が継続する。
【００７７】
エアフィルタＦの後端部が、上記部位を通過することで、エアフィルタ清掃装置ＳのエアフィルタＦに対する清掃作業が終了する。このことをセンサーが検知し、制御部に信号を送って送りギヤ１５と塵埃押上げブラシ１６の回転を停止するとともに、塵埃除去用ブレード１８の回転を停止する。
【００７８】
先に図１に二点鎖線で示したように、および図４に二点鎖線で示したように、エアフィルタＦの一部は室内機本体１の上面部に突出した状態で停止する。エアフィルタＦの清掃を選択したユーザーは、エアフィルタＦの一部が室内機本体１の上面部から突出するのを目視でき、エアフィルタＦの清掃が実行されていることを確認できる。
【００７９】
他のユーザーにとっては、室内機本体１の上面部からエアフィルタＦが突出していても、意識しなければ見ることがないので、特に他のユーザーに対して不快感あるいは違和感を与えずにすむ。
【００８０】
冷房運転が終了した直後の熱交換器７は結露が著しく、この近傍範囲は高湿度の雰囲気となっている。しかしながら、エアフィルタＦの略半分が室内機本体１の上面部から突出しているので、熱交換器７の高湿度の影響を全く受けることがなく、乾燥化が促進される。
【００８１】
開口部ａに挿通する部位と、可動ガイドＫに乗る部位および、その近傍部位も、外部と連通した状態にあり、熱交換器７の高湿度の影響を受けずにすむ。エアフィルタＦの熱交換器７と対向する部位は、ほとんど直立しているので、ここに水滴が付着しても流下し易く、あるいは湿分が付着しても開口部ａとエアフィルタ案内口６を介して蒸発し易い。  
結局、本実施の形態の構成を採用すれば、エアフィルタＦの大部分の面積の乾燥化が促進される。
【００８２】
エアフィルタＦに対し、この状態を一定時間継続して保持する。一定時間が経過した後、エアフィルタＦを再び移動付勢して、第２のガイド路Ｒ２から元の第１のガイド路Ｒ１に収容する位置に戻す。
【００８３】
つぎの空調運転を開始しても、エアフィルタＦは完全に乾燥化しているので、塵埃がこびり付くことはなく、長期に亘って濾過効果を確保できる。そして、再度のエアフィルタＦの清掃時において、付着している塵埃を容易に除去できる。
【００８４】
なお、上記可動ガイドＫを回動支点Ｐと重心Ｇの位置設定から動作させるようにしたが、これに限定されるものではなく、１つの回動支点Ｐと、この回動支点Ｐに連結する動力源との組合せにより可動ガイドＫを確実に動作させることができる。
【００８５】
さらに、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【符号の説明】
【００８６】
１…室内機本体、５…吸込み口、９…吹出し口、１０…通風路、７…熱交換器、８…室内送風機、Ｆ…エアフィルタ、Ｓ…エアフィルタ清掃装置、１５…送りギヤ（エアフィルタ送り手段）、１８…塵埃除去用ブレード（塵埃除去手段）、６…エアフィルタ案内口、Ｒ１…第１のガイド路、Ｒ２…第２のガイド路、Ｋ…可動ガイド、Ｐ…回動支点、Ｇ…重心。
【図１】
0005401189.tif 000002
【図２】
0005401189.tif 000003
【図３】
0005401189.tif 000004
【図４】
0005401189.tif 000005
【図５】
0005401189.tif 000006
【図６】
0005401189.tif 000007
【図７】
0005401189.tif 000008
【図８】
0005401189.tif 000009
【図９】
0005401189.tif 000010